(57)【要約】【課題】  組み立て性に優れた組み立て式ペット用品の提供。【解決手段】  組み立て式ぺットハウスＡは、上部全体が開口されたボックス型の本体１を備え、本体１各面のうち、底部１５が布材で形成されるとともに、左右の側板部１３，１４がプラスチック段ボールからなり、縦方向の曲折部１３ａ，１４ａが対向して形成されている。組み立て式ペット用クローゼットＢは、正面全体が開口されたボックス型の本体６を備え、本体６各面のうち、背面部６１が布材で形成されるとともに、左右の側面部６２，６３が布材で形成されている。【選択図】      図１
0003115654.tif 000002
【実用新案登録請求の範囲】
【請求項１】
一の面全体が開口形成されたボックス型の本体を備え、前記本体各面のうち、前記開口面に対向する面が布材で形成されるとともに、１組の対向面が布材または曲折部を設けたプラスチック段ボールのいずれかで折り畳み可能に形成されていることを特徴とする組み立て式ペット用品。
【請求項２】
請求項１において、プラスチック段ボールからなり、折り畳み可能に形成された屋根部が、前記開口面の上縁部に対して着脱可能に貼着されていることを特徴とする組み立て式ペットハウス。
【請求項３】
前記本体各面のうち、前板部、後板部および左右の側板部がプラスチック段ボールからなり、前記前板部にはペットの通用口が開口形成されるとともに、前記側板部にはそれぞれ縦方向の曲折部が対向して形成されていることを特徴とする請求項２に記載の組み立て式ペットハウス。
【請求項４】
プラスチック段ボールからなる前板部、後板部および左右の側板部を備え、前記各部材の底辺の両側端部が互いに連結され、前記各部材がその底辺を曲折部として折り畳み可能に形成された補強部材が、本体内周面に沿って着脱可能に貼着されていることを特徴とする請求項２または３に記載の組み立て式ペットハウス。
【請求項５】
前記補強部材が、通気性の布材からなる底部を有することを特徴とする請求項４に記載の組み立て式ペットハウス。
【請求項６】
請求項１において、前記開口面の一の側縁部にプラスチック段ボールからなる扉部が開閉可能に取り付けられていることを特徴とする組み立て式ペット用クローゼット。
【請求項７】
前記本体各面のうち、上板部と底板部がプラスチック段ボールからなり、左右の側面部が布材からなることを特徴とする請求項６に記載の組み立て式ペット用クローゼット。
【請求項８】
左右の側板部および背板部がそれぞれ縁部にて折り畳み可能に連結された、平面視コ字状のプラスチック段ボールからなる補強部材が、本体内周面に沿って着脱可能に貼着されていることを特徴とする請求項７に記載の組み立て式ペット用クローゼット。
【考案の詳細な説明】
【技術分野】
【０００１】
本考案は、プラスチック段ボールと布材とを組み合わせて形成された組み立て式ペット用品、特に組み立て式ペットハウスおよび組み立て式ペット用クローゼットに関する。
【背景技術】
【０００２】
近年、犬や猫などのペットを飼う人が増えており、これに伴ない、例えば、ペットハウス等のペット関連商品が多数販売されている。これらの中には、堅牢で、重量が重く、組み立てられた状態で販売されているものもあるが、主として屋内で使用するには軽量で組み立て式のものが好ましい。
【０００３】
組み立て式のペット関連商品としては、実用新案登録第３０９６２１５号公報に、軽量かつ安価で組み立て性に優れたものとして段ボール製のペットハウスが開示されており、また、特開２００１−３４０１４５号公報に、プラスチック段ボールから構成されたクローゼットが開示されている。
【考案の開示】
【考案が解決しようとする課題】
【０００４】
しかしながら、上記実用新案文献に記載のペットハウスは、組み立て時に、各部材に形成された多数の係合片（部）を互いに係合させる必要があり、組み立てを完了するまでにかなりの時間を要する。
【０００５】
また、上記特許文献に記載のクローゼットは、そもそも引越し時に引越し業者が用いる洋服収納箱であり、組み立て性に優れ、組み立て状態で堅牢性を有するものと記載されているが、ペット用として用いるにはさらに組み立て性に優れたものとする必要がある。
【０００６】
本考案は、上記事情に鑑みてなされたものであり、組み立て性に優れた組み立て式ペット用品を提供することを目的とする。
【課題を解決するための手段】
【０００７】
すなわち、本考案の要旨は以下のとおりである。
〔１〕  一の面全体が開口形成されたボックス型の本体を備え、前記本体各面のうち、前記開口面に対向する面が布材で形成されるとともに、１組の対向面が布材または曲折部を設けたプラスチック段ボールのいずれかで折り畳み可能に形成されていることを特徴とする組み立て式ペット用品、
〔２〕  前記〔１〕において、プラスチック段ボールからなり、折り畳み可能に形成された屋根部が、前記開口面の上縁部に対して着脱可能に貼着されていることを特徴とする組み立て式ペットハウス、
〔３〕  前記本体各面のうち、前板部、後板部および左右の側板部がプラスチック段ボールからなり、前記前板部にはペットの通用口が開口形成されるとともに、前記側板部にはそれぞれ縦方向の曲折部が対向して形成されていることを特徴とする前記〔２〕に記載の組み立て式ペットハウス、
〔４〕  プラスチック段ボールからなる前板部、後板部および左右の側板部を備え、前記各部材の底辺の両側端部が互いに連結され、前記各部材がその底辺を曲折部として折り畳み可能に形成された補強部材が、本体内周面に沿って着脱可能に貼着されていることを特徴とする前記〔２〕または〔３〕に記載の組み立て式ペットハウス、
〔５〕  前記補強部材が、通気性の布材からなる底部を有することを特徴とする前記〔４〕に記載の組み立て式ペットハウス、
〔６〕  前記〔１〕において、前記開口面の一の側縁部にプラスチック段ボールからなる扉部が開閉可能に取り付けられていることを特徴とする組み立て式ペット用クローゼット、
〔７〕  前記本体各面のうち、上板部と底板部がプラスチック段ボールからなり、左右の側面部が布材からなることを特徴とする前記〔６〕に記載の組み立て式ペット用クローゼット、
〔８〕  左右の側板部および背板部がそれぞれ縁部にて折り畳み可能に連結された、平面視コ字状のプラスチック段ボールからなる補強部材が、本体内周面に沿って着脱可能に貼着されていることを特徴とする前記〔７〕に記載の組み立て式ペット用クローゼット。
【考案の効果】
【０００８】
本考案の組み立て式ペット用品によれば、一の面全体が開口形成されたボックス型の本体を備え、前記本体各面のうち、前記開口面に対向する面が布材で形成されるとともに、１組の対向面が布材または曲折部を設けたプラスチック段ボールのいずれかで折り畳み可能に形成されているので、簡易な作業で本体を展開することができ、これにより短時間にペット用品を組み立てることができる。
【考案を実施するための最良の形態】
【０００９】
本考案の組み立て式ペット用品は、一の面全体が開口形成されたボックス型の本体を備え、前記本体各面のうち、前記開口面に対向する面が布材で形成されるとともに、１組の対向面が布材または曲折部を設けたプラスチック段ボールのいずれかで折り畳み可能に形成されている点に特徴を有する。該ペット用品としては、例えば、ペットハウスやクローゼットが挙げられ、以下、それぞれの実施形態について詳細に説明する。
【００１０】
図１は組み立て式ペットハウスの一例を示す分解斜視図、図２はペットハウスを組み立てた状態を示す外観斜視図、図３は図２のＡ−Ａ線縦断面概略図、図４は図２のＢ−Ｂ線縦断面概略図である。ペットハウスＡは、本体１、クッション２、補強部材３、中板４および屋根部５から構成されており、図２に示すように、本体１の底部にクッション２が敷かれ、本体１の上部内周面に沿って補強部材３が面ファスナーを介して貼着されるとともに、補強部材３の底部に中板４が敷かれ、本体１の上縁部に屋根部５が面ファスナーを介して貼着されて構成されている。
【００１１】
本体１は、前板部１１、後板部１２、左右の側板部１３，１４および底部１５を有し、上部全体が開口されたボックス型に形成されている。前板部１１、後板部１２および左右の側板部１３，１４は、図４のＦ部拡大図に示すように、２枚の基板の間に波状の芯材を挟んだ周知のポリプロピレン（ＰＰ）製プラスチック段ボールからなるとともに、底部１５は布材からなる。上記各面の周縁部は外側面と内側面を跨ぐ布材で縫製された縁布１６で形成されており、これらの縁布１６を互いに縫製することで、上記各面が互いに連結されている。
【００１２】
本体１の左右側板部１３，１４はそれぞれ２枚の略同形の長方形からなる上述したＰＰ製プラスチック段ボールで形成されている。該段ボールの隣り合う側縁部は外側面と内側面を跨ぐ布材で縫製された縁布で形成されており、これらの縁布を互いに縫製することで、左右側板部１３，１４の略中央部分に縦方向の曲折部１３ａ，１４ａが対向して形成されている。また、本体１の前板部１１および後板部１２の上部は、それぞれ中央部上方へ向けて傾斜して交わる傾斜辺とされており、前板部１１および後板部１２は全体として五角形に形成されている。また、前板部１１には、中央部から底部にかけてペットの通用口１１ｂが開口形成されている。
【００１３】
本体１の前板部１１および後板部１２の傾斜辺の内側縁部には、後述する補強部材３と貼り合せるための雌型面ファスナー１１ａ，１２ａ（以下、「ループ」という）が逆Ｖ字状に帯状に形成されるとともに、本体１の左右側板部１３，１４の内側上縁部にも、前記曲折部１３ａ，１４ａを挟んで、補強部材３と貼り合せるためのループ１３ｂ，１４ｂが帯状に形成されている。
【００１４】
以上のように構成される本体１は、不使用時には、図６に示すように、曲折部１３ａ，１４ａを本体内側に押し込みつつ、底部１５を構成する布材を本体内側に押し込んだ状態にして平坦状に折り畳まれている。
【００１５】
補強部材３は、前板部３１、後板部３２、左右の側板部３３，３４および底部３５から構成されている。前板部３１、後板部３２および左右の側板部３３，３４はそれぞれ上述したＰＰ製プラスチック段ボールからなり、全体として前記本体１の上部内周面に対応した形状とされている。上記各面の周縁部は外側面と内側面を跨ぐ布材で縫製された縁布３６で形成されるとともに、上記各面の底辺の両側端部を縫製することで互いに連結されている。また、底部３５は通気性の布材（例えば、不織布など）で形成されている。
【００１６】
補強部材３の前板部３１および後板部３２を構成する傾斜辺の外側縁部には、雄型面ファスナー３１ａ，３２ａ（以下、「フック」という）が逆Ｖ字状に帯状に形成されており、本体１の前板部１１と後板部１２の傾斜辺の内側縁部に形成されたループ１１ａ，１２ａと貼り合わされている。また、補強部材３の左右側板部３３，３４の外側面には、フック３３ａ，３４ａが帯状に形成されており、本体１の左右側板部１３，１４の内側上縁部に形成されたループ１３ｂ，１４ｂと貼り合わされている（以上、図３および図４を参照）。
【００１７】
また、補強部材３の前板部３１および後板部３２を構成する傾斜辺の頂部付近には、内側面と外側面を跨ぐループ３１ｂ，３２ｂが頂部から左右対称に２つずつ取り付けられているとともに、補強部材３の左右の側板部３３，３４の両端上縁部にも内側面と外側面を跨ぐループ３３ｂ，３４ｂが２つずつ取り付けられている。かかるループ３３ｂ，３４ｂは、後述する屋根部５と貼り合せるために設けられている。
【００１８】
以上のように構成される補強部材３は、不使用時には、図５に示すように、前板部３１、後板部３２および左右の側板部３３，３４を構成する各底辺を曲折部として、各部材を内側に押し倒した状態で平坦状に折り畳まれている。
【００１９】
屋根部５は上述したＰＰ製プラスチック段ボールからなり、組み立てた状態で、左右の矩形の傾斜面５１，５２がへの字状に接合された切妻型として形成されている。該傾斜面５１，５２の周縁部は、それぞれ外側面と内側面を跨ぐ布材で縫製された縁布５３で形成されるとともに、左右の傾斜面５１，５２を並べた状態で、隣接する側縁部の縁布を縫製することで、屋根部５の略中央部分を曲折部として平坦状に折り畳み可能に形成されている。
【００２０】
屋根部５裏面の前端縁部と後端縁部のうち、組み立てたときに、補強部材３のループ３１ｂ，３２ｂ，３３ｂ，３４ｂと当接する部分には、それぞれフック５４，・・・が形成されており、図３と図４に示すように、補強部材３に形成されたループと屋根部５の裏面に形成されたフックとが貼り合わされている。
【００２１】
折り畳まれたペットハウスＡの組み立ては次のように行なう。まず、本体１については、左右側板部１３，１４に形成された曲折部１３ａ，１４ａを外側に押し出しつつ、底部１５を構成する布材を外側に押し出して、図１に示すようなボックス型の形状に展開し、その後本体１の底部１５にクッション２を敷く。次いで補強部材３の前板部３１、後板部３２および左右の側板部３３，３４を図１に示すように立設させ、本体１のループ１１ａ，１２ａ，１３ｂ，１４ｂと補強部材３のフック３１ａ，３２ａ，３３ａ，３４ａを貼り合わせた後、補強部材３の底部に中板４を敷く。そして、最後に屋根部５のフック５４，・・・と補強部材３のループ３１ｂ，３２ｂ，３３ｂ，３４ｂを貼り合わせる。
【００２２】
以上説明したように、ペットハウスＡを構成する本体１、補強部材３および屋根部５は、いずれも簡易な作業で展開できるとともに、本体１に対する補強部材３の組み付け、補強部材３に対する屋根部５の組み付けは、いずれも面ファスナーを介した貼り合わせ作業ですむので、簡易な作業で短時間にペットハウスＡを組み立てることができる。また、本体１、補強部材３および屋根部５は布材またはプラスチック段ボールから構成されるので、ペットハウスＡ全体が軽量で持ち運びしやすいとともに堅牢性についても非常に優れている。さらに、ペットハウスＡを使用しないときには、上記と逆の作業により簡易な作業で各構成部材を分離して本体１、補強部材３および屋根部５を平坦状に折り畳むことができるので、収納に際して場所をとることもない。
【００２３】
なお、上述した部材のうち、クッション２の形態は特に限定されず、通常は、矩形状の布材からなる本体の内部にスポンジなどの弾性材が収容されたものが使用される。また、中板４は、ペットハウスＡの上部を有効利用して、ペット用のおもちゃ、食器などを収納する場合に必要に応じて用いられるものである。中板４の形態についても特に限定されないが、通常は、上述したＰＰ製プラスチック段ボールからなる矩形状の板材とされ、該板材の周縁部が、それぞれ表裏面を跨ぐ布材で縫製された縁布で形成されたものが用いられる。また、中板４を使用しない場合には、補強部材３の底部に、例えば、シート状の脱臭剤や除湿剤を敷いておけば、ペットハウスＡ内部を清潔に保つことができる。
【００２４】
本考案の実際の適用にあたっては、本考案の要旨を逸脱しない限り適宜変更可能である。例えば、図１に示すように、本体１の外周面にペットのネーム入れ１１ｃを設けたり、屋根部５に取っ手５５を設けてもよい。また、本体１の外周面や屋根部の表面に布材を貼り合わせれば、該布材に種々の印刷を施したり、多種類の色を組み合わせることで、外観上カラフルでバリエーションに富んだペットハウスを提供することができる。
【００２５】
続いて、ペット用クローゼットの実施形態について説明する。図７はペット用クローゼットの一例を示す分解斜視図、図８は図７のクローゼットを組み立てた状態を示す外観斜視図、図９は図８のクローゼットのＣ−Ｃ線縦断面概略図、図１０は図９のクローゼットのＤ−Ｄ線縦断面概略図である。クローゼットＢは、ボックス型の本体６、補強部材７およびハンガー吊下げ用のパイプ８から構成されており、本体６の背面部６１と左右側面部６２，６３の各内周面に沿って平面視コ字状の補強部材７が面ファスナーを介して貼着されるとともに、左右の側面部６２，６３の間にパイプ８が架設されている。
【００２６】
本体６は、背面部６１、左右の側面部６２，６３、上板部６４および底板部６５を有し、正面全体が開口されたボックス型に形成されている。背面部６１と左右の側面部６２，６３は布材から形成されるとともに、上板部６４と底板部６５は、上記ペットハウスＡについて説明したものと同じく、周知のＰＰ製プラスチック段ボールから形成されている。上記各面の周縁部には、外側面と内側面を跨ぐ布材で縫製された縁布６６が形成されており、これらの縁布６６を互いに縫製することで、上記各面がそれぞれ連結されている。また、左右側面部６２，６３の上部中央付近には、パイプ取り付け用の挿通穴が形成されるとともに、該挿通穴の周縁にはパイプ８を挿通支持するための支持リング８１が取り付けられている。
【００２７】
また、右側面部６２の前縁部には、前記開口面を開閉可能とする扉部６７が取り付けられている。この扉部６７の周縁部も外側面と内側面を跨ぐ布材で縫製された縁布６６が形成されており、扉部６７と右側面部６２は、それぞれに形成された縁布６６を互いに縫製することで連結されている。
【００２８】
左右側面部６２，６３の内側前縁部には、後述する補強部材と貼り合せるためのループ６２ａ，６３ａが帯状に取り付けられているとともに、扉部６７の内側面には、図７の開扉状態から見て右縁部に補強部材７と貼り合わせるためのフック６７ａが上下方向に３箇所取り付けられている。
【００２９】
本体６は、図１１に示すように、不使用時には、扉部６７を開けた状態で、背面部６１および左側面部６３をそれぞれ構成する布材を本体６の内側に押し込みつつ、上板部６４と底板部６５を本体左側面部６３の中央寄りに寄せ倒し、このまま右側面部６２に当たるまで平坦状に折り畳み、最後に扉部６７を該折り畳まれた部分に重なるように折り返すことで、全体としてコンパクトかつ平坦状に折り畳まれている。
【００３０】
補強部材７は上述した周知のＰＰ製プラスチック段ボールからなり、背板部７１と左右の側板部７２，７３を有し、平面視コ字状に形成されている。背板部７１と左右側板部７２，７３の周縁部には、外側面と内側面を跨ぐ布材で縫製された縁布７４が形成されており、背板部７１の両端縁部に形成された縁布７４と左右側板部７２，７３の後縁部に形成された縁布７４を互いに縫製することで、背板部７１と左右の側板部７２，７３が連結されている。
【００３１】
左右側板部７２，７３の上部中央付近には、パイプ取り付け用の挿通穴が形成されるとともに、該挿通穴の周縁にはパイプを挿通支持するための支持リング８２が取り付けられている。また、左右の側板部７２，７３の外側前縁部には、本体と貼り合せるためのフック７２ａ，７３ａが帯状に取り付けられているとともに、左側板部７３の前縁部には、外側面と内側面を跨ぐループ７３ｂが、扉部６７の内側面に取り付けられたフック６７ａと対応する高さ位置に３つ取り付けられている。
【００３２】
補強部材７は、図１１に示すように、不使用時には、左右の側板部７２，７３を背板部７１に重ねるように折り返すことで、全体として、コンパクトかつ平坦状に折り畳まれている。
【００３３】
折り畳まれたクローゼットＢの組み立ては次のように行なう。まず、本体６については、上板部６４と底板部６５を外側に展開しつつ背面部６１を外側に押し出して、図７に示すようなボックス型の形状に展開する。次いで補強部材７を平面視コ字状に展開して、補強部材７の背板部７１が本体６の背面部６１に当たるまで本体内部に押し入れ、本体６のループ６２ａ，６３ａと補強部材７のフック７２ａ，７３ａとを貼り合せる。続いて、本体６の左右側面部６２，６３の間にパイプ８を架け渡すように取り付ける。パイプ８の取り付けにあたっては、パイプ８の両端部を上述した支持リング８１，８２に挿通した状態で、本体６の外側から固定部材９の軸部をパイプ８の先端に内嵌めすることにより行なう（図１０のＨ部拡大図参照）。最後に、扉部６７内側面のフック６７ａと補強部材７のループ７３ｂを貼り合せて扉部６７を閉扉状態とする（図９のＧ部拡大図参照）。
【００３４】
以上説明したように、クローゼットＢを構成する本体６と補強部材７は、いずれも簡易な作業で展開できるとともに、本体６に対する補強部材７の組み付けは、面ファスナーを介した貼り合わせ作業だけですむので、簡易な作業で短時間にクローゼットＢを組み立てることができるとともに、本体６と補強部材７は布材またはプラスチック段ボールから構成されるので、クローゼットＢ全体が軽量で持ち運びしやすくなる。また、クローゼットＢには、ペット用のシャツ、セータ、コート、ジャケット等の衣類をはじめ、各種のペットグッズを吊下げて収納することができるが、補強部材７が軽量高強度のプラスチック段ボールで形成されているため、堅牢性についても非常に優れたものとなる。さらに、クローゼットＢを使用しないときは、上記と逆の作業により簡易な作業で各構成部材を分離して本体６と補強部材７を平坦状に折り畳むことができるので、収納に際して場所をとることもない。
【００３５】
なお、本考案の実際の適用にあたっては、本考案の要旨を逸脱しない限り適宜変更可能である。例えば、図７に示すように、扉部６７や補強部材７に内ポケット６７ｂ，７５を設けて、例えば、シート状の脱臭剤や除湿剤を収納したり、首輪、ロープなどの小物類を収納してもよい。また、図８に示すように、扉部６７の開閉の便宜のため、扉部６７の外側面に取っ手６７ｄを設けてもよいし、ペットのネーム入れ６７ｅを設けることもできる。また、内部を視認することができるように窓部６７ｃを設けることもできる。
【図面の簡単な説明】
【００３６】
【図１】ペットハウスの分解斜視図である。
【図２】ペットハウスを組み立てた状態を示す外観斜視図である。
【図３】図２のＡ−Ａ線縦断面概略図である。
【図４】図２のＢ−Ｂ線縦断面概略図である。
【図５】図１の補強部材を折り畳んだ状態を示す外観斜視図である。
【図６】図１の本体を折り畳んだ状態を示す外観斜視図である。
【図７】クローゼットの分解斜視図である。
【図８】クローゼットを組み立てた状態を示す外観斜視図である。
【図９】図８のクローゼットのＣ−Ｃ線縦断面概略図である。
【図１０】図９のクローゼットのＤ−Ｄ線縦断面概略図である。
【図１１】図８のクローゼットを折り畳んだ状態を示す外観斜視図である。
【符号の説明】
【００３７】
Ａ  組み立て式ペットハウス
１  本体
１１  前板部
１１ｂ  通用口
１２  後板部
１３  右側板部
１３ａ  曲折部
１４  左側板部
１４ａ  曲折部
３  補強部材
３１  前板部
３２  後板部
３３  右側板部
３４  左側板部
５  屋根部
Ｂ  組み立て式クローゼット
６  本体
６２  右側面部
６３  左側面部
６４  上板部
６５  底板部
７  補強部材
７１  背板部
７２  右側板部
７３  左側板部
【図１】
0003115654.tif 000003
【図２】
0003115654.tif 000004
【図３】
0003115654.tif 000005
【図４】
0003115654.tif 000006
【図５】
0003115654.tif 000007
【図６】
0003115654.tif 000008
【図７】
0003115654.tif 000009
【図８】
0003115654.tif 000010
【図９】
0003115654.tif 000011
【図１０】
0003115654.tif 000012
【図１１】
0003115654.tif 000013